(57)【要約】  吸引装置は、吸引ポンプと、収容体（１）と、容器（２）と、を備える。収容体（１）は、吸引ポンプを収容するものであって、吸引ポンプに通じる吸気孔（１１）を有する。容器（２）は、吸気孔（１１）に接続される排気孔（２１Ａ）と、吸引物が流入する流入孔（２１Ｂ）と、を有する。そして、上面視で、収容体（１）と容器（２）とが第１方向（Ｄ１）に並んで配置され、収容体（１）の占有面積が容器（２）の占有面積より小さく、第１方向（Ｄ１）及び鉛直方向（高さ方向（Ｄ３））の何れにも垂直な第２方向（Ｄ２）において収容体（１）の最大幅（Ｗ１２max）が容器（２）の最大幅（Ｗ２２max）より小さい。
2018225504.tif 000002
【特許請求の範囲】
【請求項１】
吸引ポンプと、
前記吸引ポンプを収容する収容体であって、前記吸引ポンプに通じる吸気孔を有する収容体と、
前記吸気孔に接続される排気孔と、吸引物が流入する流入孔と、を有する容器と、
を備え、
上面視で、前記収容体と前記容器とが第１方向に並んで配置され、前記収容体の占有面積が前記容器の占有面積より小さく、前記第１方向及び鉛直方向の何れにも垂直な第２方向において前記収容体の最大幅が前記容器の最大幅より小さい、吸引装置。
【請求項２】
前記収容体及び前記容器について、前記第２方向の全幅が前記第１方向の全幅より小さい、請求項１に記載の吸引装置。
【請求項３】
前記第１方向において前記収容体の最大幅が前記容器の最大幅より小さい、請求項１又は２に記載の吸引装置。
【請求項４】
前記排気孔は、前記容器の上面のうちの前記第２方向についての中央領域内に配置される、請求項１〜３の何れかに記載の吸引装置。
【請求項５】
前記収容体は、前記容器から離れるに従って前記第２方向の幅が小さくなる形状である、請求項１〜４の何れかに記載の吸引装置。
【請求項６】
前記収容体に結合されており、前記容器とは反対側に突出した突出部を更に備える、請求項１〜５に記載の吸引装置。
【請求項７】
前記収容体に結合されており、前記容器を、前記収容体に対する所定の位置関係で保持するホールド部を更に備える、請求項１〜６の何れかに記載の吸引装置。
【請求項８】
前記排気孔と前記吸気孔との距離は、前記流入孔と前記吸気孔との距離より短い、請求項１〜７の何れかに記載の吸引装置。
【請求項９】
前記吸引ポンプは、前記収容体の上部に配置される、請求項１〜８の何れかに記載の吸引装置。
【請求項１０】
前記吸引ポンプは、平板状であり、その主平面が前記容器の側面と対向する、請求項１〜９の何れかに記載の吸引装置。
【請求項１１】
前記吸引ポンプは圧電ポンプである、請求項１〜１０の何れかに記載の吸引装置。
【請求項１２】
前記収容体の下部に結合されており、前記容器が載置される載置台と、
前記載置台の内部に設けられた電力供給部と、
を更に備える、請求項１〜１１の何れかに記載の吸引装置。
【発明の詳細な説明】
【技術分野】
【０００１】
本発明は、口腔内の洗浄等に用いられる吸引装置に関する。
【背景技術】
【０００２】
吸引装置の多くは、吸引ポンプが内蔵された装置本体と、吸引ポンプの吸引力で吸い込んだ吸引物（口腔内の洗浄液や食べ滓等）が貯留される容器と、を備え、装置本体に対して容器が着脱可能に設けられている。従来、吸引ポンプには、モータ駆動のポンプ（ロータリポンプ等）が用いられていた。しかし、吸引装置で必要とされる所望の吸引力を得るためには、ポンプとして大型のものを使用せざるを得なかった。このため、従来の吸引装置には、大型で重たいものが多かった（例えば、特許文献１、２参照）。
【先行技術文献】
【特許文献】
【０００３】
【特許文献１】特開２０１６−８７０８０号公報
【特許文献２】特開２００４−２４５４８号公報
【発明の概要】
【発明が解決しようとする課題】
【０００４】
近年、介護を要する人の口腔内の洗浄等に用いられる吸引装置が増えてきている。この様な吸引装置は、例えば、病院内において頻繁に持ち運びしなければならず、又、在宅ケアで処置を行う場合には訪問先まで運搬しなければならない。このため、大型で重たい吸引装置は不便であり、ユーザには小型で軽い吸引装置が望まれている。【０００５】
しかしながら、吸引装置を小型化すると、吸引装置自体が倒れ易くなる。例えば、吸引装置に連結されているチューブ等が使用時に引っ張れて吸引装置が倒れたり、容器に吸引物が貯まって重心が変化することで吸引装置が倒れたりする虞がある。そして、吸引装置が倒れると、容器に貯留されている吸引物が吸引ポンプの方へ流れ込み、それが原因となって吸引ポンプが故障する虞がある。【０００６】
そこで本発明の目的は、小型化を実現すると共に小型化による弊害が生じ難い吸引装置を提供することである。
【課題を解決するための手段】
【０００７】
本発明に係る吸引装置は、吸引ポンプと、収容体と、容器と、を備える。収容体は、吸引ポンプを収容するものであって、吸引ポンプに通じる吸気孔を有する。容器は、吸気孔に接続される排気孔と、吸引物が流入する流入孔と、を有する。そして、上面視で、収容体と容器とが第１方向に並んで配置され、収容体の占有面積が容器の占有面積より小さく、第１方向及び鉛直方向の何れにも垂直な第２方向において収容体の最大幅が容器の最大幅より小さい。【０００８】
上記吸引装置によれば、上面視で収容体の占有面積を容器の占有面積より小さくすることにより、収容体のサイズが、容器よりも小さくなる。又、上面視で、収容体と容器とを第１方向に並べて配置し、第２方向において収容体の最大幅を容器の最大幅より小さくすることにより、収容体及び容器について、第２方向の全幅が第１方向の全幅より小さくなり易い。よって、吸引装置が何らかの原因で倒れたとしても、倒れる方向が、吸引装置において幅の狭い方向（第２方向と同方向又は逆方向）に規制され易くなる。【０００９】
本発明に係る吸引装置では、収容体及び容器について、第２方向の全幅が第１方向の全幅より小さいことが好ましい。この構成によれば、吸引装置が何らかの原因で倒れたとしても、倒れる方向が、吸引装置において幅の狭い方向（第２方向と同方向又は逆方向）に規制され易くなる。【００１０】
本発明に係る吸引装置では、第１方向において収容体の最大幅が容器の最大幅より小さいことが好ましい。この構成によれば、収容体のサイズが、容器よりも小さくなる。【００１１】
本発明に係る吸引装置では、上述した様に倒れる方向が規制された上で、排気孔は、容器の上面のうちの第２方向についての中央領域内に配置されることが好ましい。この構成によれば、吸引装置が倒れた場合でも、倒れたときの容器の下端位置から最大幅の約半分の高さの位置に排気孔が配される。このため、吸引装置が倒れた場合でも、容器に貯留されている吸引物が排気孔に到達し難く、従って、吸気孔側へ吸引物が流れることを防止することができる。【００１２】
本発明に係る吸引装置では、収容体は、容器から離れるに従って第２方向の幅が小さくなる形状であることが好ましい。この構成によれば、収容体の側面のうちの容器とは反対側の側面が、第１方向に向けて先細りの形状となる。従って、吸引装置が倒れた姿勢として収容体が容器の下になった姿勢を考えた場合、その姿勢は、先細り形状の側面を下にしたものとなるため、倒れた姿勢としては不安定になる。よって、吸引装置が何らかの原因で倒れたとしても、倒れた姿勢が、収容体と容器とが横に並んだ姿勢（第２方向と同方向又は逆方向に倒れた姿勢）に規制され易くなる。【００１３】
本発明に係る吸引装置は、収容体に結合された突出部であって容器とは反対側に突出したものを更に備えることが好ましい。この構成によれば、突出部は、吸引装置が第１方向へ倒れようとしたときの支えになる。よって、突出部は、吸引装置の倒れる方向を規制する手段の１つとして機能する。【００１４】
本発明に係る吸引装置は、収容体に結合されたホールド部を更に備え、当該ホールド部により、容器が、収容体に対する所定の位置関係で保持されることが好ましい。この構成によれば、容器と収容体とをユニット化することができる。【００１５】
本発明に係る吸引装置では、排気孔と吸気孔との距離が、流入孔と吸気孔との距離より短いことが好ましい。この構成によれば、排気孔と吸気孔とを接続するチューブ等の配管を短くすることができ、その結果として、排気孔と吸気孔との間の圧力損失を低減することができる。【００１６】
本発明に係る吸引装置では、吸引ポンプは、収容体の上部に配置されることが好ましい。この構成によれば、吸引ポンプが、容器に設けられた排気孔に近づく。よって、排気孔と吸引ポンプとの間の圧力損失を低減することができる。【００１７】
本発明に係る吸引装置では、吸引ポンプは、平板状であり、その主平面が容器の側面と対向することが好ましい。この構成によれば、第１方向における収容体の幅を、吸引ポンプの厚さに応じて小さくすることができる。【００１８】
本発明に係る吸引装置では、吸引ポンプは圧電ポンプであることが好ましい。この構成によれば、吸引ポンプについて、従来のモータ駆動のポンプに比較して顕著な小型化、薄型化、及び軽量化を実現することができる。【００１９】
本発明に係る吸引装置は、容器が載置される載置台であって収容体の下部に結合されたものと、載置台の内部に設けられた電力供給部と、を更に備えることが好ましい。この構成によれば、電力供給部として例えば比較的重量が重い電池を吸引装置の下部に配置することができる。これにより、吸引装置の重心を下げ、その結果として、吸引装置を倒れ難くすることができる。
【発明の効果】
【００２０】
本発明によれば、小型化が実現されると共に小型化による弊害が生じ難くなる。
【図面の簡単な説明】
【００２１】
【図１】図１は、第１実施形態に係る吸引装置を概念的に示した斜視図である。
【図２】図２（Ａ）は、第１実施形態に係る吸引装置を概念的に示した上面図であり、図２（Ｂ）は、当該吸引装置を概念的に示した側面図である。
【図３】図３は、吸引装置が備える収容体の一部を省略することで当該収容体の内部を露出させた斜視図である。
【図４】図４は、第２実施形態に係る吸引装置を概念的に示した斜視図である。
【図５】図５（Ａ）は、第２実施形態に係る吸引装置を概念的に示した上面図であり、図５（Ｂ）は、当該吸引装置を概念的に示した側面図である。
【発明を実施するための形態】
【００２２】
［１］第１実施形態
図１は、第１実施形態に係る吸引装置を概念的に示した斜視図である。又、図２（Ａ）及び図２（Ｂ）はそれぞれ、吸引装置を概念的に示した上面図及び側面図である。図１〜図２（Ｂ）に示される様に、吸引装置は、吸引ポンプＰ（図３参照）を収容する収容体１と、吸引物を貯留する容器２と、を備える。そして、収容体１と容器２とは、上面視（図２（Ａ）参照）で、第１方向Ｄ１に並んで配置されている。ここで、第１方向Ｄ１は、吸引装置の通常の設置状態において水平方向となる方向である。尚、図３は、収容体１の一部を省略することで当該収容体１の内部を露出させた斜視図である。
【００２３】
本実施形態では、吸引装置は、容器２を保持するホルダ１００を備え、当該ホルダ１００の一部として収容体１が構成されている。そして、ホルダ１００は、収容体１の他に、載置台１０１と、ホールド部１０２と、把手部１０３（特許請求の範囲に記載の「突出部」に相当）と、を備える。ホルダ１００の詳細を説明する前に、先ず、容器２について説明する。
【００２４】
容器２は、吸気孔１１に接続される排気孔２１Ａと、吸引物が流入する流入孔２１Ｂと、を有する。本実施形態では、容器２は、有底筒状のボトル２０１と、当該ボトル２０１の開口部を封止する蓋２０２と、から構成されている。そして、蓋２０２によって容器２の上面２ａが構成されており、当該上面２ａに排気孔２１Ａ及び流入孔２１Ｂが設けられている。より具体的には、排気孔２１Ａ及び流入孔２１Ｂは、上面２ａの中心位置Ｐｃ（図２（Ａ）参照）を挟んで両側の位置に配されている。
【００２５】
容器２において、排気孔２１Ａ及び流入孔２１Ｂは次の様に構成されている。即ち、容器２の上面２ａには、容器２の内部に連通した筒状の突起部２２Ａ及び突起部２２Ｂが設けられており、当該突起部２２Ａ及び２２Ｂにより排気孔２１Ａ及び流入孔２１Ｂがそれぞれ構成されている。そして、突起部２２Ａには、接続配管用のチューブＴ１が有する一方の端部Ｔ１ａが、摩擦係合によって連結されている。又、突起部２２Ｂには、吸引処置用のチューブＴ２が有する一方の端部Ｔ２ａが、摩擦係合によって連結されている。
【００２６】
尚、排気孔２１Ａ及び流入孔２１Ｂの構成は、上述した構成に限らず、種々の変形が可能である。例えば、排気孔２１Ａは、容器２の上面２ａに開口した貫通孔であってもよい。この場合、当該貫通孔にチューブＴ１の端部Ｔ１ａを差し込むことにより、チューブＴ１の端部Ｔ１ａが排気孔２１Ａに摩擦係合で連結される。同様に、流入孔２１Ｂも、容器２の上面２ａに開口した貫通孔であってもよい。
【００２７】
次に、ホルダ１００について説明する。載置台１０１は、容器２が載置される台であって収容体１の下部に結合されている。そして、載置台１０１には、容器２の底部が嵌まる底受け部１０１ａが形成されている。載置台１０１の内部には、吸引ポンプＰ等への電力供給部である電池（不図示）が設けられている。この様に比較的重量の重い電池がホルダ１００の下部（即ち、吸引装置の下部）に配置されることにより、吸引装置の重心を下げ、その結果として、吸引装置の配置状態を安定化させることができる。よって、吸引装置自体が倒れ難くなる。尚、吸引装置は、外部から電力供給を受けてもよい。例えば、吸引装置は、商用電源からＡＣ−ＤＣアダプタを介して電力供給を受けてもよい。
【００２８】
ホールド部１０２は、収容体１に結合されており、ホルダ１００への容器２の着脱を可能にしつつ、ホルダ１００への容器２の設置時に、容器２を、収容体１に対する所定の位置関係で保持することを可能にする。即ち、ホールド部１０２により、収容体１と容器２とがユニット化される。具体的には、ホールド部１０２は、容器２の側面２ｂのうちの高さ方向Ｄ３（本実施形態では、鉛直方向）における少なくとも一部を包囲する円環状の枠体である。尚、ホールド部１０２は、ホルダ１００内での容器２の自由度を束縛できればよく、容器２の側面２ｂを包囲するものに限らず、例えば容器２を両側から把持するものであってもよい。尚、ホールド部１０２によって形成される上記所定の位置関係については、以下において随時説明する。
【００２９】
把手部１０３は、収容体１に結合されており、ホルダ１００を手で持つことを可能にする。本実施形態では、収容体１は、吸引ポンプＰを収容する直方体形状の収容ケースであり、その４つの側面のうちの容器２とは反対側の側面１ｃに把手部１０３が設けられている。本実施形態では、把手部１０３は、カップの把手部の様に、ホルダ１００に対して横からしっかりと握ることが可能な形状である。
【００３０】
収容体１は、吸引ポンプＰに通じる吸気孔１１を有する。本実施形態では、収容体１は、上述した様に直方体形状の収容ケースであり、その上面１ａが、高さ方向Ｄ３において容器２の上面２ａと一致する位置に配されている。そして、収容体１の上面１ａに吸気孔１１が設けられている。
【００３１】
又、収容体１は、４つの側面のうちの１つの側面１ｂ（側面１ｃとは反対側の側面）を、容器２の側面２ｂに対向させると共に当該側面２ｂに接触又は近接させた状態で、配置されている。よって、本実施形態では、収容体１は、側面１ｂと側面１ｃとが第１方向Ｄ１に垂直な面となる様に、配置されている。更に、収容体１について、第１方向Ｄ１における幅Ｗ１１が、第１方向Ｄ１及び高さ方向Ｄ３の何れにも垂直な第２方向Ｄ２における幅Ｗ１２より小さくなっている。
【００３２】
尚、収容体１の形状は、直方体形状に限らず、例えば後述する第２実施形態（図４参照）の様に種々の変形が可能である。又、収容体１は、高さ方向Ｄ３において上面１ａが容器２の上面２ａに一致したものに限らず、種々の変形が可能である。例えば、吸引ポンプＰによる吸引時の圧力損失の低減や吸引装置の小型化を考慮しつつ、許容できる範囲で、上面１ａを上面２ａより低くしてもよいし、上面１ａを上面２ａより高くしてもよい。
【００３３】
収容体１において、吸気孔１１は次の様に構成されている。即ち、収容体１の上面１ａには、収容体１の内部に連通した筒状の突起部１２が設けられており、当該突起部１２により吸気孔１１が構成されている。そして、突起部１２には、接続配管用のチューブＴ１が有する他方の端部Ｔ１ｂが、摩擦係合によって連結されている。これにより、排気孔２１Ａが吸気孔１１に接続され、容器２の内部がチューブＴ１を介して吸引ポンプＰに連通している。
【００３４】
従って、吸引装置の動作時には、吸引ポンプＰの吸引力で容器２内の空気が排気孔２１Ａから排出され、これにより、容器２の内圧が低下する。そして、当該内圧の低下によって容器２の外部との間に圧力差が生じ、その結果として、チューブＴ２の先端に吸引力が生じる。その吸引力でチューブＴ２の先端から吸い込まれた吸引物（口腔内の洗浄液や食べ滓等）は、流入孔２１Ｂを通じて容器２内に流入し、当該容器２に貯留される。このとき、吸引装置が通常の配置状態で使用されていれば、吸引物は自身の重さで容器２の底部に貯まるため、排気孔２１Ａを通じて吸気孔１１側へ吸引物が流れることはない。
【００３５】
尚、吸気孔１１の構成は、上述した構成に限らず、種々の変形が可能である。例えば、吸気孔１１は、収容体１の上面１ａに開口した貫通孔であってもよい。この場合、当該貫通孔にチューブＴ１の端部Ｔ１ｂを差し込むことにより、チューブＴ１の端部Ｔ１ｂが吸気孔１１に摩擦係合で連結される。
【００３６】
収容体１の内部では、吸引ポンプＰが収容体１の上部に配置されると共に、吸引ポンプＰの吸引部８１が突起部１２に下方から直接的に差し込まれている（図２（Ｂ）、図３参照）。この様に、吸引部８１が、容器２に設けられた排気孔２１Ａに近づけられることにより、排気孔２１Ａと吸引部８１との間の圧力損失が低減される。
【００３７】
圧力損失を低減するという観点からは、排気孔２１Ａと吸気孔１１との距離が短くなる様に、排気孔２１Ａが容器２に配置されるか、或いは、ホルダ１００に対して容器２が設置されることが好ましい。具体的には、排気孔２１Ａと吸気孔１１との距離が、流入孔２１Ｂと吸気孔１１との距離より短くなる様に、排気孔２１Ａが配されることが好ましい（図２（Ａ）参照）。これにより、排気孔２１Ａと吸気孔１１とを接続するチューブＴ１を短くすることができ、その結果として、排気孔２１Ａと吸気孔１１との間の圧力損失が低減される。
【００３８】
尚、上述した突起部１２に代えて、吸引ポンプＰの吸引部８１を収容体１の上面１ａから突出させることにより、当該吸引部８１により吸気孔１１が形成されてもよい。この場合、チューブＴ１は、吸引ポンプＰの吸引部８１に直接的に連結される。
【００３９】
本実施形態では、吸引ポンプＰは、圧電ポンプであり、形状が平板状である。ここで、圧電ポンプは、圧電素子でダイアフラムを高速振動させることにより高い吐出圧を生じることが可能なポンプであり、従来のモータ駆動のポンプに比較して顕著な小型化、薄型化、及び軽量化が実現されている。
【００４０】
そして、吸引ポンプＰは、その主平面８３が容器２の側面２ｂと対向する様に収容体１に収容されている（図２（Ａ）及び図２（Ｂ）参照）。これにより、第１方向Ｄ１における収容体１の幅Ｗ１１（側面１ｂと側面１ｃとの間の距離）を、吸引ポンプＰの厚さに応じて小さくすることができる。尚、収容体１への収容時の吸引ポンプＰの姿勢は、主平面８３を容器２の側面２ｂに対向させた姿勢に限らず、種々の変形が可能である。例えば、吸引ポンプＰによる吸引時の圧力損失の低減や吸引装置の小型化を考慮しつつ、許容できる範囲で、主平面８３を上方又は下方に向けてもよいし、主平面８３を第２方向Ｄ２に向けてもよい。
【００４１】
上記吸引装置において、収容体１と容器２とは、上述した様に第１方向Ｄ１に並んで配置されており、更に以下の関係を有する。
【００４２】
上面視（図２（Ａ）参照）で、収容体１の占有面積が容器２の占有面積より小さい。即ち、吸引ポンプＰが、従来のポンプに比較して顕著に小型化であるため、収容体１も吸引ポンプＰのサイズに応じて著しく小さくすることができる。これにより、第１方向Ｄ１において収容体１の最大幅Ｗ１１maxが容器２の最大幅Ｗ２１maxより小さくなり、その結果として、収容体１の占有面積が容器２の占有面積より小さくなっている。よって、本実施形態の吸引装置によれば、従来の吸引装置に比較して顕著な小型化が実現される。
【００４３】
更に、第２方向Ｄ２において、収容体１の最大幅Ｗ１２maxが容器２の最大幅Ｗ２２maxより小さい。具体的には、上面視で円形状の容器２に対して収容体１が第１方向Ｄ１に並んで配置され、且つ、収容体１の最大幅Ｗ１２maxが容器２の最大幅Ｗ２２maxより小さくなることで、収容体１及び容器２について、第２方向Ｄ２の全幅Ｗｆ２が第１方向Ｄ１の全幅Ｗｆ１より小さくなる。よって、吸引装置が何らかの原因で倒れたとしても、倒れる方向が、吸引装置において幅の狭い方向（ここでは、第２方向Ｄ２と同方向又は逆方向）に規制される。
【００４４】
この様に倒れる方向が規制された上で、排気孔２１Ａは、容器２の上面２ａのうちの第２方向Ｄ２についての中央領域Ｒｃ（図２（Ａ）参照）内に配置されることが好ましい。これにより、吸引装置が倒れた場合でも、倒れたときの容器２の下端位置から最大幅Ｗ２２maxの約半分の高さの位置に排気孔２１Ａが配される。このため、吸引装置が倒れた場合でも、容器２に貯留されている吸引物が排気孔２１Ａに到達し難く、従って、吸気孔１１側へ吸引物が流れることを防止することができる。よって、本実施形態の吸引装置によれば、小型化による弊害が生じ難くなる。
【００４５】
本実施形態では、好ましい態様として、排気孔２１Ａと流入孔２１Ｂとが第１方向Ｄ１に並んで配置されている（図２（Ａ）参照）。よって、規制された方向へ吸引装置が倒れた場合でも、容器２に貯留されている吸引物が排気孔２１Ａ及び流入孔２１Ｂの何れにも到達し難く、従って、吸気孔１１側へ吸引物が流れることを防止しつつ、吸引物が流入孔２１Ｂから逆流することを防止することができる。
【００４６】
更に、本実施形態では、好ましい態様として、排気孔２１Ａと吸気孔１１とが第１方向Ｄ１に並んで配置されている（図２（Ａ）参照）。よって、これらに連結されたチューブＴ１は、上面視で第１方向Ｄ１に延びた状態で配置される。この様なチューブＴ１の配置によれば、規制された方向へ吸引装置が倒れたときに吸引物が排気孔２１Ａに到達することがあったとしても、吸引物はチューブＴ１内を流れ難く、従って吸気孔１１側へ吸引物が流れることを防止することができる。
【００４７】
本実施形態では、上述した様に、収容体１の側面１ｃ（容器２とは反対側の外面）に把手部１０３が設けられている。従って、把手部１０３は、収容体１から第１方向Ｄ１に突出しており、吸引装置が第１方向Ｄ１へ倒れようとしたときの支えになる。よって、把手部１０３は、吸引装置の倒れる方向を規制する手段の１つとして機能する。尚、収容体１には、吸引装置の倒れる方向を規制できるものであれば、把手部１０３に限らず、他の形状である突出部が設けられていてもよい。
【００４８】
［２］第２実施形態
上記吸引装置において、収容体１、並びに当該収容体１を構成の一部とするホルダ１００は、他の形状であってもよい。以下、その一例を、第２実施形態として説明する。
【００４９】
図４は、第２実施形態に係る吸引装置を概念的に示した斜視図である。又、図５（Ａ）及び図５（Ｂ）はそれぞれ、吸引装置を概念的に示した上面図及び側面図である。図４〜図５（Ｂ）に示される様に、収容体１は、外面が湾曲した形状であってもよい。本実施形態では、収容体１は、上面視で、容器２に近い側面１ｂが容器２の側面２ｂに沿って凹状に湾曲し、容器２とは反対側の側面１ｃが第１方向Ｄ１に向けて凸状に湾曲している。
【００５０】
即ち、収容体１は、容器２から離れるに従って第２方向Ｄ２の幅Ｗ１２が小さくなる形状である。尚、収容体１と容器２との以下の関係については、第１実施形態と同様であるので、詳細な説明は省略する。
【００５１】
（１）収容体１と容器２とが、第１方向Ｄ１に並んで配置されている点
（２）上面視（図５（Ａ）参照）で、収容体１の占有面積が容器２の占有面積より小さい点
（３）第２方向Ｄ２において、収容体１の最大幅Ｗ１２maxが容器２の最大幅Ｗ２２maxより小さい点
【００５２】
よって、本実施形態の吸引装置においても、第１実施形態と同様、顕著な小型化を実現することができる。又、収容体１及び容器２について、第２方向Ｄ２の全幅Ｗｆ２が第１方向Ｄ１の全幅Ｗｆ１より小さくなる。よって、吸引装置が何らかの原因で倒れたとしても、倒れる方向が、吸引装置において幅の狭い方向（ここでは、第２方向Ｄ２と同方向又は逆方向）に規制され、吸気孔１１側へ吸引物が流れることを防止することができる。
【００５３】
更に、本実施形態の吸引装置によれば、収容体１の側面のうちの容器２とは反対側の側面１ｃが、第１方向Ｄ１に向けて先細りの形状となる。従って、吸引装置が倒れた姿勢として収容体１が容器２の下になった姿勢を考えた場合、その姿勢は、先細り形状の側面１ｃを下にしたものとなるため、倒れた姿勢としては不安定になる。よって、吸引装置が何らかの原因で倒れたとしても、倒れた姿勢が、収容体１と容器２とが横に並んだ姿勢（即ち、第２方向Ｄ２と同方向又は逆方向に倒れた姿勢）に規制され易くなる。
【００５４】
本実施形態では、ホルダ１００は、かご形状であると共に、上面視で楕円形状に近い形状である。具体的には、ホールド部１０２が、支持部１０２ａと囲い部１０２ｂとから構成されている。ここで、支持部１０２ａは、容器２に対して収容体１とは反対側の位置で載置台１０１に結合されており、容器２の側面２ｂに沿って湾曲した板状であると共に、収容体１と同じ高さまで延びている。囲い部１０２ｂは、容器２の側面２ｂに沿って収容体１から支持部１０２ａまで延びており、両端部が収容体１及び支持部１０２ａにそれぞれ結合されている。本実施形態では、囲い部１０２ｂは、高さ方向Ｄ３において２つ設けられている。
【００５５】
更に、把手部１０３として、吊下げ部材１０３Ａ（図４参照）が用いられている。具体的には、吊下げ部材１０３Ａは、吸引装置を通常の設置姿勢のままでフック等に引っ掛けて吊り下げることが可能となる様に、両端部が収容体１及び支持部１０２ａのそれぞれの外面に取り付けられている。よって、吊下げ部材１０３Ａをフック等に引っ掛けることにより、使用時における吸引時の転倒を防止することができる。
【００５６】
［３］他の実施形態
吸引装置の各部の形状は、上記実施形態で説明した形状に限らず、吸引装置の小型化を実現しつつ吸引装置の倒れる方向を規制できる様々な形状に適宜変形することができる。又、吸引装置の倒れる方向は、第２方向Ｄ２と同方向又は逆方向に限らず、例えば、容器２に対して収容体１とは逆方向に規制されてもよい。
【００５７】
吸引ポンプＰには、圧電ポンプに限らず、吸引装置で必要とされる所望の吸引力を発揮することが可能な種々の小型ポンプを用いることができる。
【００５８】
吸引装置において、ある程度の圧力損失を許容することできる場合には、吸引ポンプＰは、収容体１の中央部や下部に設けられてもよい。
【００５９】
吸引装置は、上述した収容体１と容器２との関係を考慮せず、吸引ポンプＰが収容体１の上部に配置されたことを特徴としてもよい。そして、吸引装置には、その特徴をメインとしつつ、上述した各部構成（収容体１と容器２との関係を含む）が適宜加えられてもよい。
【００６０】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００６１】
１  収容体
１ａ  上面
１ｂ、１ｃ  側面
２  容器
２ａ  上面
２ｂ  側面
Ｐ  吸引ポンプ
１１  吸気孔
１２  突起部
２１Ａ  排気孔
２１Ｂ  流入孔
２２Ａ、２２Ｂ  突起部
８１  吸引部
８３  主平面
Ｄ１  第１方向
Ｄ２  第２方向
Ｄ３  高さ方向
Ｐｃ  中心位置
Ｒｃ  中央領域
Ｔ１、Ｔ２  チューブ
Ｔ１ａ、Ｔ１ｂ、Ｔ２ａ  端部
Ｗ１１、Ｗ１２  幅
Ｗ１１max、Ｗ１２max、Ｗ２１max、Ｗ２２max  最大幅
Ｗｆ１、Ｗｆ２  全幅
１００  ホルダ
１０１  載置台
１０１ａ  底受け部
１０２  ホールド部
１０２ａ  支持部
１０２ｂ  囲い部
１０３  把手部、（突出部）
１０３Ａ  吊下げ部材
２０１  ボトル
２０２  蓋
【図１】
2018225504.tif 000003
【図２】
2018225504.tif 000004
【図３】
2018225504.tif 000005
【図４】
2018225504.tif 000006
【図５】
2018225504.tif 000007
【国際調査報告】
2018225504.tif 000008
2018225504.tif 000009
2018225504.tif 000010
2018225504.tif 000011